(57)【要約】【課題】  映像ストリームに対する補間処理を適切に行えるようにして、画質の劣化の防止を実現する。【解決手段】  映像ストリームと音声ストリームとが多重化された符号化ストリームからヘッダ位置を検出する検出部２１と、検出部２１で検出されたヘッダ位置に基づいて、符号化ストリームの構造を解析する解析部２２と、符号化ストリームから映像ストリームを分離する分離部２３と、分離部２３で分離された映像ストリームを映像データへ復号する際に、解析部２２における解析結果に基づいて、映像ストリームに対する補間処理を行う復号化部３０と、復号化部３０で復号された映像データを外部装置に出力する出力部４０とを具備するようにする。【選択図】  図１
2007043575.tif 000002
【特許請求の範囲】
【請求項１】
符号化された動画像データを含むデータストリームを入力する入力部と、
前記動画像データ中、前記符号化に関連した所定数の画素からなるブロック間の連続性を判別し、前記判別結果に基づいて不連続なブロックを検出する検出部と、
前記検出部の検出結果に基づいて前記入力部より入力された動画像データを復号する復号部とを備えることを特徴とする画像処理装置。
【請求項２】
前記復号部は、前記不連続なブロックを他のブロックのデータにより補間した後に復号することを特徴とする請求項１に記載の画像処理装置。
【請求項３】
前記動画像データは動き補償予測符号化方式により符号化されており、前記復号部は、前記不連続なブロックの直前のブロックの動きベクトルを用いて前記不連続なブロックを補間することを特徴とする請求項２に記載の画像処理装置。
【請求項４】
前記データストリームは前記ブロックのヘッダ情報を含み、前記入力部は前記データストリームより前記動画像データを抽出して前記復号部に出力し、前記検出部は前記ヘッダ情報に基づいて前記ブロック間の連続性を判別することを特徴とする請求項１に記載の画像処理装置。
【請求項５】
符号化された動画像データを含むデータストリームを入力する入力部と、
前記動画像データ中、前記符号化に関連した所定数の画素からなるブロック間の連続性を判別し、前記判別結果に基づいて不連続なブロックを検出する検出部と、
前記データストリームより前記動画像データを抽出して復号部に出力する分離部とを備え、
前記分離部は、前記検出部の検出結果に基づき、前記動画像データより前記不連続なブロックのデータを破棄して前記復号部に出力することを特徴とする画像処理装置。
【請求項６】
前記データストリームはＭＰＥＧ２トランスポートストリームであり、前記入力部は前記ＭＰＥＧ２トランスポートストリームよりＭＰＥＧ２エレメンタリストリームを抽出して前記復号部に出力することを特徴とする請求項１または５に記載の画像処理装置。
【請求項７】
前記データストリームはＭＰＥＧ２プログラムストリームであり、前記入力部は前記ＭＰＥＧ２プログラムストリームよりＭＰＥＧ２エレメンタリストリームを抽出して前記復号部に出力することを特徴とする請求項１または５に記載の画像処理装置。
【請求項８】
前記ブロックは、前記ＭＰＥＧ２エレメンタリストリームにおけるスライスであることを特徴とする請求項６または７に記載の画像処理装置。
【請求項９】
符号化された動画像データを含むデータストリームを入力する入力ステップと、
前記動画像データ中、前記符号化に関連した所定数の画素からなるブロック間の連続性を判別し、前記判別結果に基づいて不連続なブロックを検出する検出ステップと、
前記検出ステップの検出結果に基づいて前記入力ステップより入力された動画像データを復号する復号ステップとを有することを特徴とする画像処理方法。
【請求項１０】
符号化された動画像データを含むデータストリームを入力する入力ステップと、
前記動画像データ中、前記符号化に関連した所定数の画素からなるブロック間の連続性を判別し、前記判別結果に基づいて不連続なブロックを検出する検出ステップと、
前記データストリームより前記動画像データを抽出して復号部に出力する分離ステップとを備え、
前記分離ステップは、前記検出ステップの検出結果に基づき、前記動画像データより前記不連続なブロックのデータを破棄して前記復号部に出力することを特徴とする画像処理方法。
【発明の詳細な説明】
【技術分野】
【０００１】
本発明は、映像ストリームと音声ストリームとが多重化された符号化ストリームから映像ストリームを分離し、当該映像ストリームを映像データへ復号する画像処理装置及び画像処理方法に関する。
【背景技術】
【０００２】
従来、画像信号を符号化してその情報量を圧縮し、光ディスクや磁気テープなどに記録する装置が知られている。
【０００３】
この種の符号化技術として、ＭＰＥＧ方式が知られている（例えば、特許文献１参照）。例えば、ＭＰＥＧ２方式においては、画像データを縦横それぞれ１６画素からなるマクロブロックに分割し、マクロブロック毎に参照フレームとの間で動きベクトルを求め、動きベクトルで指定された参照フレームのマクロブロックとの差分データを直交変換した後に、可変長符号化するという動き補償予測符号化技術を用いている。
【０００４】
ＭＰＥＧの画像ストリームは、シーケンス、ＧＯＰ（グループ・オブ・ピクチャ）、ピクチャ、スライス、マクロブロック（ＭＢ）、ブロックの６層から構成される。ＭＰＥＧのストリームでは、構成単位である上記シーケンス、ＧＯＰ、ピクチャ、スライスごとに先頭にスタートコードが付されていて、画像処理装置での復号時においてエラーが生じた場合には、次のスタートコードまで読み飛ばすことによってすぐに復号が回復できるようになっている。
【０００５】
読み飛ばした部分については、例えば、特許文献１では、過去にデコードされた動きベクトルを使って以前のフレームのデータを補正することで、エラーのマクロブロックの補間を行う。
【０００６】
このように、スライス単位でエラーブロックの補間を行うことで、画像処理装置での復号時においてエラーが生じた場合には、スライスごとに先頭に付されている次のスタートコードまで読み飛ばすことによって、すぐに復号が回復できるようになっている。
【０００７】
【特許文献１】特開２００２−３７４５３７号公報
【発明の開示】
【発明が解決しようとする課題】
【０００８】
しかしながら、従来の画像処理装置では、記録媒体からＭＰＥＧストリームを再生する際の読み取りエラーや、ＭＰＥＧストリームの伝送中のエラーなどにより、図５（Ａ）のように、ＭＰＥＧストリーム中のスライススタートコードにエラーが発生してスライス番号の連続性が損なわれた場合、本当ならば１つのスライス（図５の例では、上から４番目のスライス）についてエラー処理をすれば良い所を、図５（Ｂ）のように、スライス番号０４〜０７までのデータがエラーであると判断して、補間処理を行ってしまう。
【０００９】
そのため、スライス番号０５〜０７のデータには、エラーが含まれていないにもかかわらず、補間処理を行ってしまうので、画像が劣化してしまうという可能性があった。すなわち、スライスのスタートコードが正しく読み取れず、スタートコードが連続していなかった場合、エラーのないスライスのデータまでも補間処理がされてしまい、画質が劣化してしまうという問題があった。
【００１０】
本発明は上述の問題点にかんがみてなされたものであり、映像ストリームに対する補間処理を適切に行えるようにして、画質の劣化の防止を実現する画像処理装置及び画像処理方法を提供することを目的とする。
【課題を解決するための手段】
【００１１】
本発明の画像処理装置は、符号化された動画像データを含むデータストリームを入力する入力部と、前記動画像データ中、前記符号化に関連した所定数の画素からなるブロック間の連続性を判別し、前記判別結果に基づいて不連続なブロックを検出する検出部と、前記検出部の検出結果に基づいて前記入力部より入力された動画像データを復号する復号部とを備える。
【００１２】
本発明の画像処理装置における他の態様は、符号化された動画像データを含むデータストリームを入力する入力部と、前記動画像データ中、前記符号化に関連した所定数の画素からなるブロック間の連続性を判別し、前記判別結果に基づいて不連続なブロックを検出する検出部と、前記データストリームより前記動画像データを抽出して復号部に出力する分離部とを備え、前記分離部は、前記検出部の検出結果に基づき、前記動画像データより前記不連続なブロックのデータを破棄して前記復号部に出力する。
【００１３】
本発明の画像処理方法は、符号化された動画像データを含むデータストリームを入力する入力ステップと、前記動画像データ中、前記符号化に関連した所定数の画素からなるブロック間の連続性を判別し、前記判別結果に基づいて不連続なブロックを検出する検出ステップと、前記検出ステップの検出結果に基づいて前記入力ステップより入力された動画像データを復号する復号ステップとを有する。
【００１４】
本発明の画像処理方法における他の態様は、符号化された動画像データを含むデータストリームを入力する入力ステップと、前記動画像データ中、前記符号化に関連した所定数の画素からなるブロック間の連続性を判別し、前記判別結果に基づいて不連続なブロックを検出する検出ステップと、前記データストリームより前記動画像データを抽出して復号部に出力する分離ステップとを備え、前記分離ステップは、前記検出ステップの検出結果に基づき、前記動画像データより前記不連続なブロックのデータを破棄して前記復号部に出力する。
【発明の効果】
【００１５】
本発明によれば、映像ストリームに対する補間処理を適切に行うことができ、画質の劣化の防止を実現することが可能となる。
【発明を実施するための最良の形態】
【００１６】
（第１の実施形態）
図１は、本発明の第１の実施形態に係る画像処理装置１のブロック構成図である。図１を用いて、画像処理装置１におけるエラー処理（補間処理）を含む画像処理について説明する。
【００１７】
本実施形態の画像処理装置１は、映像ストリームと音声ストリームとが多重化された符号化ストリームをメモリ上からパケット単位で入力する入力部１０と、パケット単位で入力された符号化ストリームから映像ストリームを分離し、更に復号化に用いない余分なヘッダを分離する等の処理を行って、映像ストリームを後述の復号化部３０へ転送する映像・音声分離部２０と、映像・音声分離部２０から転送された映像ストリームを映像データへ復号する復号化部３０と、復号化部３０で復号された映像データを外部装置に出力する出力部４０とを有して構成されている。
【００１８】
ここで、入力部１０には、例えば、ＭＰＥＧ２のトランスポートストリーム（ＴＳ）や、ＭＰＥＧ２のプログラムストリーム（ＰＳ）など、映像ストリームと音声ストリームとが多重化された符号化ストリームが入力される。また、入力部１０に入力される符号化ストリームがトランスポートストリーム（ＴＳ）である場合、入力部１０には１トランスポートストリームパケット単位で入力され、一方、入力部１０に入力される符号化ストリームがプログラムストリーム（ＰＳ）である場合、入力部１０には１プログラムストリームパケット（パック）単位で入力される。
【００１９】
映像・音声分離部２０は、入力部１０に入力された符号化ストリームからスタートコードを検出することにより、ヘッダ位置を検出する検出部２１と、検出部２１で検出されたヘッダ位置に基づいて、符号化ストリームの構造を解析し、解析結果を後述する転送部２４及び復号化部３０に通知する解析部２２と、パケット単位で入力された符号化ストリームから映像ストリームと音声ストリームとを分離し、更に復号化に用いない余分なヘッダを分離して取り除く分離部２３と、復号化に用いない余分なヘッダを取り除いた映像ストリーム（ＭＰＥＧ２エレメンタリストリーム）を復号化部３０へと転送する転送部２４とを有して構成されている。
【００２０】
復号化部３０は、ＶＬＣ部３１と、逆量子化部３２と、逆ＤＣＴ部３３と、動き補償部３４とを有して構成されており、映像ストリームを映像データへ復号する復号処理を行う際に、解析部２２における解析結果に基づいて、映像ストリームに対するエラー処理を行う。
【００２１】
次に、図２を用いて、画像処理装置１における画像処理方法について説明する。
図２は、本発明の第１の実施形態に係る画像処理装置における画像処理方法を示したフローチャートである。
【００２２】
まず、ステップＳ１０１では、映像ストリームと音声ストリームとが多重化された符号化ストリームが入力部１０に入力されると、検知部２１は、符号化ストリームからヘッダ位置を検出する。具体的に、本実施形態の検知部２１は、符号化ストリームからスライスのスタートコードを検出することにより、ヘッダ位置を検出する。そして、検知部２１は、検出したヘッダ位置の情報を解析部２２に出力すると共に、入力された符号化ストリームを分離部２３に送る。
【００２３】
続いて、ステップＳ１０２では、解析部２２は、検出部２１から出力されたヘッダ位置の情報に基づいて、符号化ストリームのスライスのヘッダに含まれるスライススタートコードのスライス番号を検出し、検出したスライス番号の連続性を検証して、符号化ストリームの構造を解析する。
【００２４】
続いて、ステップＳ１０３では、解析部２２は、符号化ストリームのスライス番号が不連続であり、入力された符号化ストリームの構造にエラーが存在する場合、不連続であったスライス番号（エラー情報）を復号化部３０（ＶＬＣ部３１）に通知する。また、解析部２２は、入力された符号化ストリームの構造にエラーが存在する場合、その旨の情報を転送部２４に通知する。
【００２５】
続いて、ステップＳ１０４では、分離部２３は、検知部２１からパケット単位で入力された符号化ストリームから、映像ストリームと音声ストリームを分離する。また、分離部２３は、映像ストリームからＴＳヘッダやＰＳヘッダ、ＰＥＳ（パケッタイズドエレメンタリーストリーム）ヘッダなどのヘッダを取り除く。
【００２６】
続いて、ステップＳ１０５では、転送部２４は、分離部２３で分離され、ヘッダが取り除かれた映像ストリームを復号化部３０へと転送する。また、転送部２４は、解析部２２から符号化ストリームの構造にエラーが存在する旨の情報を受信した場合、映像ストリームを所定のデータ単位では復号化部３０に転送しないように制御する。ここで、所定のデータ単位としては、例えば、ピクチャ単位やスライス単位が挙げられる。なお、本実施形態では、１スライスを画面上の１ライン分の画像データで構成するが、これ以外にも、所定数の連続する画素を１スライスにすることも可能である。
【００２７】
続いて、ステップＳ１０６では、復号化部３０では、転送部２４から転送された映像ストリームを映像データへ復号する際に、解析部２２における解析結果に基づいて、映像ストリームに対するエラー処理（補間処理）を行う。
【００２８】
具体的に、復号化部３０では、ＶＬＣ部３１に転送部２４からの映像ストリームと解析部２２からの解析結果（不連続なスライス番号の情報）が入力されると、ＶＬＣ部３１では、不連続なスライス番号におけるスライスのデータをその直前のスライス（画面上では真上（上側）に隣接するスライス）のデータと同じ動きベクトルを用いて他のスライスのデータに置き換えてエラー処理（補間処理）を行い、各ブロックのデータを復号する。なお、エラー処理として、不連続なスライス番号におけるスライスのデータをそのスライスにおける直前のフレームの同じスライス番号を持つスライスと同じ動きベクトルを用いて行うようにしてもよい。
【００２９】
そして、ＶＬＣ部３１で復号された各ブロックのデータは、逆量子化部３２において逆量子化され、逆ＤＣＴ部３３へ送られる。この場合、逆ＤＣＴ部３３には、ＭＰＥＧ２の場合、同一のフレーム内又はフィールド内で復号化を行うＩピクチャと、前方向に隣接するフレーム又はフィールドとの差分を復号化するＰピクチャと、両方向に隣接するフレーム又はフィールドとの差分を復号化するＢピクチャとが送られてくる。
【００３０】
復号するピクチャがＩピクチャの場合には、逆ＤＣＴ部３３において（８×８）のブロック毎に逆ＤＣＴ変換を行うことにより、画像データが復号される。復号するピクチャがＰピクチャやＢピクチャの場合には、逆ＤＣＴ部３３において（８×８）のブロック毎に逆ＤＣＴ演算が行われ、前方向又は両方向の予測画像との差分データが復号される。そして、逆ＤＣＴ部３３で復号された差分データと、動き補償部３４による動きベクトルに基づいて動き補償された予測画像データとが合成されて、画像データが復号される。
【００３１】
続いて、ステップＳ１０７では、出力部４０において、復号化部３０で復号された映像データを外部装置に出力する。
【００３２】
前述したように、本実施形態の画像処理装置１では、パケット単位で多重化された符号化ストリームが入力されると、符号化ストリーム中のヘッダ位置を検出し、当該ヘッダ位置に基づいて符号化ストリームの構造を解析して、不連続なスライス番号が存在する場合には、余分なヘッダを取り除いた映像ストリームとともに、その不連続なスライス番号を復号化部３０に転送する。そして、復号化部３０では、解析部２２から通知された不連続なスライス番号に基づき、復号化処理を行う際に、通知されたスライス番号を持つスライスデータに対してエラー処理を行うようにしている。
【００３３】
第１の実施形態に係る画像処理装置１によれば、解析部２２による解析の結果、符号化ストリームのスライス番号が不連続であり、入力された符号化ストリームの構造にエラーが存在する場合、不連続であると解析されたスライスのデータのみに対してエラー処理（補間処理）を行うことができるため、従来の画像処理装置のように過剰なエラー処理がなされること無く、映像ストリームに対するエラー処理を適切に行うことが可能となり、画質の劣化の防止を実現することができる。
【００３４】
なお、本実施形態では、ＭＰＥＧ２エレメンタリストリームにおけるスライスの連続性を解析し、不連続なスライスを検出し、これを補間していたが、スライス以外にも、他の符号化に関連したブロック間の連続性を検出する構成としてもよい。
また、ＭＰＥＧ２以外の符号化方式で符号化された画像データを復号する場合にも、同様に本発明を適用可能である。
【００３５】
（第２の実施形態）
図３は、本発明の第２の実施形態に係る画像処理装置２のブロック構成図である。図３を用いて、画像処理装置２におけるエラー処理（補間処理）を含む画像処理について説明する。なお、図１と同様の機能を有する構成部には、同様の符号を付しており、その詳細な説明は省略する。
【００３６】
本実施形態の画像処理装置２は、映像ストリームと音声ストリームとが多重化された符号化ストリームをメモリ上からパケット単位で入力する入力部１０と、パケット単位で入力された符号化ストリームから映像ストリームを分離し、更に復号化に用いない余分なヘッダを分離する等の処理を行って、映像ストリームを後述の復号化部６０へ転送する映像・音声分離部５０と、映像・音声分離部５０から転送された映像ストリームを映像データへ復号する復号化部６０と、復号化部６０で復号された映像データを外部装置に出力する出力部４０とを有して構成されている。
【００３７】
ここで、入力部１０には、例えば、ＭＰＥＧ２のトランスポートストリーム（ＴＳ）や、ＭＰＥＧ２のプログラムストリーム（ＰＳ）など、映像ストリームと音声ストリームとが多重化された符号化ストリームが入力される。また、入力部１０に入力される符号化ストリームがトランスポートストリーム（ＴＳ）である場合、入力部１０には１トランスポートストリームパケット単位で入力され、一方、入力部１０に入力される符号化ストリームがプログラムストリーム（ＰＳ）である場合、入力部１０には１プログラムストリームパケット（パック）単位で入力される。
【００３８】
映像・音声分離部５０は、入力部１０に入力された符号化ストリームからスタートコードを検出することにより、ヘッダ位置を検出する検出部２１と、検出部２１で検出されたヘッダ位置に基づいて、符号化ストリームの構造を解析し、解析結果を後述する分離部５３及び転送部５４に通知する解析部５２と、パケット単位で入力された符号化ストリームから映像ストリームと音声ストリームとを分離し、更に復号化に用いない余分なヘッダを分離して取り除く分離部５３と、復号化に用いない余分なヘッダを取り除いた映像ストリームを復号化部６０へと転送する転送部５４とを有して構成されている。本実施形態では、分離部５３は、解析部５２からの解析結果が符号化ストリームの構造にエラーが存在するものであった場合、分離した映像ストリームから該当するエラー箇所（スライス等）のデータを破棄する。
【００３９】
復号化部６０は、ＶＬＣ部６１と、逆量子化部３２と、逆ＤＣＴ部３３と、動き補償部３４とを有して構成されており、映像ストリームを映像データへ復号する復号処理を行う際に、転送部５４を介して解析部５２における解析結果に基づいた映像ストリームに対するエラー処理を行う。本実施形態では、復号化部６０は、転送部５４から余分なヘッダ及びエラー箇所が取り除かれた映像ストリームが入力されるので、エラー処理としては分離部５３によって取り除かれたエラー箇所（スライス等）のデータに対してのみ行われる。
【００４０】
次に、図４を用いて、画像処理装置２における画像処理方法について説明する。
図４は、本発明の第２の実施形態に係る画像処理装置における画像処理方法を示したフローチャートである。
【００４１】
まず、図２のステップＳ１０１及びステップＳ１０２の処理を経る。
続いて、ステップＳ２０１では、解析部５２は、符号化ストリームのスライス番号が不連続であり、入力された符号化ストリームの構造にエラーが存在する場合、不連続であったスライス番号（エラー情報）を分離部５３に通知する。また、解析部５２は、入力された符号化ストリームの構造にエラーが存在する場合、その旨の情報を転送部５４に通知する。
【００４２】
続いて、ステップＳ２０２では、分離部５３は、検知部２１からパケット単位で入力された符号化ストリームから、映像ストリームと音声ストリームを分離する。また、分離部５３は、映像ストリームからＴＳヘッダやＰＳヘッダ、ＰＥＳ（パケッタイズドエレメンタリーストリーム）ヘッダなどのヘッダを取り除く。
【００４３】
続いて、ステップＳ２０３では、分離部５３は、解析部５２からの解析結果が符号化ストリームの構造にエラーが存在するものであった場合、分離した映像ストリームから該当するエラー箇所のデータを破棄する。具体的に、本実施形態では、分離部５３は、不連続であったスライス番号におけるスライスデータを破棄する。
【００４４】
続いて、ステップＳ２０４では、転送部５４は、分離部５３で分離され、ヘッダ及び不連続であったスライス番号におけるスライスデータが取り除かれた映像ストリームを復号化部６０へと転送する。また、転送部５４は、解析部５２から符号化ストリームの構造にエラーが存在する旨の情報を受信した場合、映像ストリームを所定のデータ単位では復号化部６０に転送しないように制御する。ここで、所定のデータ単位としては、例えば、ピクチャ単位やスライス単位が挙げられる。
【００４５】
続いて、ステップＳ２０５では、復号化部６０は、転送部５４から転送された映像ストリームを映像データへ復号する際に、転送部５４を介して解析部５２における解析結果に基づいた映像ストリームに対するエラー処理を行う。復号化部６０には、転送部５４から、余分なヘッダ及び不連続なスライスデータが取り除かれた映像ストリームが入力されるので、エラー処理は、分離部５４によって取り除かれた不連続なスライスデータに対してのみ行われる。
【００４６】
続いて、ステップＳ２０６では、出力部４０において、復号化部６０で復号された映像データを外部装置に出力する。
【００４７】
第２の実施形態に係る画像処理装置２によれば、従来の画像処理装置のように過剰なエラー処理がなされること無く、映像ストリームに対するエラー処理を適切に行うことが可能となり、画質の劣化の防止を実現することができる。
【００４８】
（本発明の他の実施形態）
本発明に係る画像処理装置は、複数の機器（例えばホストコンピュータ、カメラ、インタフェイス機器、液晶パネルなど）から構成されるシステムに適用しても、１つの機器からなる装置に適用してもよい。
【００４９】
また、前述した各実施形態に係る画像処理装置を構成する図１及び図３の各構成部、並びに画像処理装置における画像処理方法を示した図２及び図４のの各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００５０】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００５１】
また、コンピュータが供給されたプログラムを実行することにより各実施形態に係る画像処理装置の機能が実現されるだけでなく、そのプログラムがコンピュータにおいて稼働しているＯＳ（オペレーティングシステム）或いは他のアプリケーションソフト等と共同して各実施形態に係る画像処理装置の機能が実現される場合や、供給されたプログラムの処理の全て、或いは一部がコンピュータの機能拡張ボードや機能拡張ユニットにより行われて各実施形態に係る画像処理装置の機能が実現される場合も、かかるプログラムは本発明に含まれる。
【図面の簡単な説明】
【００５２】
【図１】本発明の第１の実施形態に係る画像処理装置のブロック構成図である。
【図２】本発明の第１の実施形態に係る画像処理装置における画像処理方法を示したフローチャートである。
【図３】本発明の第２の実施形態に係る画像処理装置のブロック構成図である。
【図４】本発明の第２の実施形態に係る画像処理装置における画像処理方法を示したフローチャートである。
【図５】画像処理装置における補間処理を説明するための概念図である。
【符号の説明】
【００５３】
１、２  画像処理装置
１０  入力部
２０、５０  映像・音声分離部
２１  検出部
２２、５２  解析部
２３、５３  分離部
２４、５４  転送部
３０、６０  復号化部
３１、６１  ＶＬＣ部
３２  逆量子化部
３３  逆ＤＣＴ部
３４  動き補償部
４０  出力部
【図１】
2007043575.tif 000003
【図２】
2007043575.tif 000004
【図３】
2007043575.tif 000005
【図４】
2007043575.tif 000006
【図５】
2007043575.tif 000007